(57)【要約】【課題】  １対の引戸障子同士の突き合わせ部の下端部と下枠の上面との間部分のシールを有効に図れる構造を実現する。【解決手段】  閉鎖時に互いに突き合わされる両竪框のうちの一方の竪框に支持された鉛直方向シール材６７を、閉鎖時に他方の竪框に当接させる。下枠の一部に水平方向に支持された水平方向シール材を、上記両引戸障子を構成する両下框の下端部に設けられた垂下壁の側面に摺接させる。上記両竪框の下端部にそれぞれ固定した気密ブロック７５ａ、７５ｂの下面に形成された補助垂下壁５０ａ、５０ｂの基端部を、上記両下框の垂下壁の端部に連続させる。上記両引戸障子の閉鎖時にこれら両補助垂下壁５０ａ、５０ｂの先端同士を突き合わせると共に、それぞれの側面に上記水平方向シール材を摺接、又は、この水平方向シール材の不連続部に設けた、シール板部に貼着した弾性シール材を摺接若しくは近接対向させる。【選択図】  図３９
2006144336.tif 000002
【特許請求の範囲】
【請求項１】
それぞれ水平方向に設置された下枠と上枠との間の同一鉛直面内に１対の引戸障子を、閉鎖時に互いに対向する竪框同士が突き合わされる状態で建て込んで成る引戸装置に組み込み、これら両竪框の下端部同士と上記下枠の上面との間をシールする、引戸装置用気密装置であって、これら両竪框のうちの一方の竪框に支持されて閉鎖時に他方の竪框に当接する鉛直方向シール材と、上記下枠の一部に水平方向に支持されて、上記両引戸障子を構成する両下框の下端部に設けられた垂下壁の側面に摺接する水平方向シール材と、これら両引戸障子の下端部で且つ互いに対向する側の端部に支持固定された１対の気密ブロックと、これら両気密ブロックの下面に形成されて、それぞれの基端部を上記両下框の垂下壁の端部に連続させ、上記両引戸障子の閉鎖時に互いの先端同士を突き合わせると共に、それぞれの側面に上記水平方向シール材を摺接、又は、この水平方向シール材の不連続部に設けた弾性シール材を摺接若しくは近接対向させる補助垂下壁とを備える引戸装置用気密装置。
【請求項２】
鉛直方向シール材は、一方の竪框から他方の竪框に向け張り出す状態で形成された係止部に係止されると共に、この係止部の下端部に固定した補助鉛直方向シール材により下端面を抑えられて、下方への脱落を防止されており、１対の気密ブロックは、互いに対向する竪框の下端部に固定されており、上記補助鉛直方向シール材の下部が、これら両気密ブロックの一部に当接若しくは近接対向している、請求項１に記載した引戸装置用気密装置。
【請求項３】
１対の引戸障子は、下枠の上面に両引戸障子の移動方向に亙って形成された凹部の底面に、この底面よりも上方に突出するがその上端縁が上記下枠の上面のうちでこの凹部の両側に存在する部分よりも上方には突出しない状態で設けられた下部案内レールに、横軸を中心とする回転自在として下框に設けた戸車の外周面に全周に亙って形成した凹溝を係合させる事により、上記下枠に沿った移動を自在とされており、水平方向シール材は上記凹部の内側面にその基部を係止されており、両垂下壁及び両補助垂下壁は、この凹部の内側面と上記下部案内レールの側面との間に進入している、請求項１〜２の何れか１項に記載した引戸装置用気密装置。
【請求項４】
それぞれが可撓性及び押し付け力により移動可能な程度の剛性を有する材料により造られた１対のカバー帯が、凹部の上端開口部を覆う状態で設けられており、これら両カバー帯の一端部が、両引戸障子の下端部のうちで、閉鎖時に互いに突き合わされる側の端部に結合されており、下枠の中間部で閉鎖時に両竪框の突き合わせ部の下側に位置する部分に、上記両カバー帯の中間部をそれぞれ、これら両カバー帯同士の間で互いに反対方向に１８０度折り返して、これら両カバー帯の一部を、上記下枠のうちで上記凹部よりも下側に存在する下部空間内に導入するガイドブロックが設けられており、このガイドブロックは、その下面を下枠の中間部上面の凹部内で下部案内レールを除去した部分の底面に当接させた状態で固定されており、上記引戸障子の移動に伴って上記カバー帯が、上記下部空間と上記凹部の上端開口部との間で移動して、この上端開口部で上記両引戸障子により覆われていない部分を覆う、請求項３に記載した引戸装置用気密装置。
【請求項５】
ガイドブロックの屋外側端部で両引戸障子を閉鎖位置に移動させた状態でこれら両引戸障子の竪框の屋外側面よりも屋外側に露出する部分に、下枠の上面中央部に存在する雨水を、この下枠の上面から下方に排出する為の、複数の通水孔を設けた簀の子状部を設けている、請求項４に記載した引戸装置用気密装置。
【請求項６】
１対の気密ブロックの一部に庇状部を設け、両引戸障子を閉鎖位置に移動させた状態で、これら両気密ブロックの庇状部により簀の子状部の上方を覆う、請求項５に記載した引戸装置用気密装置。
【請求項７】
ガイドブロックの上部で、両引戸障子を閉鎖位置に移動させた状態で両補助垂下壁に対向する部分に、多数の繊維を配列して成るブラシ状体の基端部を支持し、上記両引戸障子を解放位置に移動させた状態でこのブラシ状体の先端を、凹部の内側面に当接若しくは近接対向させる、請求項３〜６の何れか１項に記載した引戸装置用気密装置。
【発明の詳細な説明】
【技術分野】
【０００１】
この発明は、引戸装置に建て込まれた１対の引戸障子同士の突き合わせ部の下端部と下枠の上面との間部分をシールして、この間部分から屋内側に雨水や外気が吹き込むのを防止する引戸装置用気密装置の改良に関する。特に、本発明は、バリアフリーサッシと呼ばれる、下枠の上面を平坦にした窓枠に引戸障子を建て込んで成る引戸装置に適用して、上記間部分の気密保持を図る場合に有効である。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この様な事情に鑑みて、特願２００３−３５０５９３号、特願２００３−３７６０９２号、特願２００４−４５１９２号等には、コストを抑えつつバリアフリー化を可能にできる引戸装置が記載されている。又、これら先発明の場合には、下枠上面のうちで下部案内レールを設置する為に設けた凹部形成部分の美観の向上と、この凹部内への異物の落下防止とを図れる様にしている。
【０００５】
即ち、上記各先発明に係る構造の場合には、下枠として上面に下部案内レールを備えたものを使用する事により、戸車として、広く使用されている低価格品を使用可能にする。又、上記下部案内レールの上端縁を、上記下枠の上面のうちで人や物が移動する部分よりも下方に位置させる事で、バリアフリー化を可能にする。更に、上記各下部案内レールを設置した凹部の上端開口部で、ガラス障子により覆われない部分を、カバー帯により覆い、美観の向上と異物の落下防止とを図る。これら各カバー帯の中間部は上記下枠内に配設し、上記ガラス障子の移動に伴って上記上端開口部に引き出す。
【０００６】
上述の様な先発明に記載された構造の場合には、各引戸障子の下端部に設けた戸車を案内する為の下部案内レールを下枠の上面よりも上方に突出しない状態で設ける為に、この下枠の長さ方向に亙って凹部を形成している。この為、従来の引戸装置用気密装置によっては、引戸装置に建て込まれた１対の引戸障子同士の突き合わせ部の下端部と下枠の上面との間部分をシールして、この間部分から屋内側に雨水や外気が吹き込むのを防止する事は難しい。即ち、従来から一般的な引戸装置に組み込まれていた気密装置では、上記間部分に存在する隙間を十分にシールする事はできない。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【発明の開示】
【発明が解決しようとする課題】
【０００８】
本発明は、上述の様な事情に鑑みて発明したものである。具体的に本発明は、同一鉛直面上に配置された１対の引戸障子を窓枠内に、この窓枠の幅方向中間部を境とした引き分け式に建て込んだ構造を対象とする。そして、上記１対の引戸障子同士の突き合わせ部の下端部と下枠の上面との間部分をシールして、この間部分から屋内側に雨水や外気が吹き込むのを有効に防止する構造を実現するものである。
又、好ましくは、下枠として、上面に両引戸障子の移動方向に亙って形成された凹部の底面に下部案内レールを、この底面よりも上方に突出するがその上端縁が上記下枠の上面のうちでこの凹部の両側に存在する部分よりも上方には突出しない状態で設けたものを使用する。
【課題を解決するための手段】
【０００９】
本発明の引戸装置用気密装置は、それぞれ水平方向に設置された下枠と上枠との間の同一鉛直面内に１対の引戸障子を、閉鎖時に互いに対向する竪框同士が突き合わされる状態で建て込んで成る引戸装置に組み込み、これら両竪框の下端部同士と上記下枠の上面との間をシールする。
この様な本発明の引戸装置用気密装置は、鉛直方向シール材と、水平方向シール材と、１対の気密ブロックと、補助垂下壁とを備える。
このうちの鉛直方向シール材は、上記両竪框のうちの一方の竪框に支持されて、閉鎖時に他方の竪框に当接する。
又、上記水平方向シール材は、上記下枠の一部に水平方向に支持されて、上記両引戸障子を構成する両下框の下端部に設けられた垂下壁の側面に摺接する。
又、上記両気密ブロックは、上記両引戸障子の下端部で、且つ、互いに対向する側の端部に支持固定されている。
又、上記補助垂下壁は、上記両気密ブロックの下面に形成されて、それぞれの基端部を上記両下框の垂下壁の端部に連続させ、上記両引戸障子の閉鎖時に互いの先端同士を突き合わせると共に、それぞれの側面に上記水平方向シール材を摺接、又は、この水平方向シール材の不連続部に設けた弾性シール材を摺接若しくは近接対向させる。
【発明の効果】
【００１０】
上述の様に構成する本発明の引戸装置用気密装置の場合、１対の引戸障子を閉鎖位置に移動させた状態では、これら両引戸障子の下端部に設けた垂下壁と、１対の気密ブロックの下面に設けた両補助垂下壁とが連続する。そして、これら両垂下壁及び両補助垂下壁の側面に、水平方向シール材が連続した状態で当接して、上記両引戸障子の下辺と下框との間のシールを図る。
一方、上記両引戸障子の竪框同士の間のシールは、鉛直方向シール材により図られる。この鉛直方向シール材の下端部は、直接又は補助鉛直方向シール材を介して、上記補助垂下壁に当接させられるので、結果として、上記両竪框の下端部同士と上記下枠の上面との間をシールできる。
【発明を実施するための最良の形態】
【００１１】
本発明を実施する場合に好ましくは、請求項２に記載した様に、鉛直方向シール材を、一方の竪框から他方の竪框に向け張り出す状態で形成された係止部に係止すると共に、この係止部の下端部に固定した補助鉛直方向シール材により下端面を抑えて、下方への脱落を防止する。又、１対の気密ブロックを、互いに対向する竪框の下端部に固定し、上記補助鉛直方向シール材の下部を、これら両気密ブロックの一部に当接若しくは近接対向させる。
この様に構成すれば、上記鉛直方向シール材と上記水平方向シール材との不連続部のシール性を良好に保持できる。
【００１２】
又、本発明を実施する場合に好ましくは、請求項３に記載した様に、下枠の上面に両引戸障子の移動方向に亙って形成された凹部の底面に下部案内レールを、この底面よりも上方に突出するがその上端縁が上記下枠の上面のうちでこの凹部の両側に存在する部分よりも上方には突出しない状態で設ける。そして、この様な下部案内レールに、横軸を中心とする回転自在として下框に設けた戸車の外周面に全周に亙って形成した凹溝を係合させる事により、１対の引戸障子を上記下枠に沿った移動を自在に建て込む。又、水平方向シール材は、上記凹部の内側面にその基部を係止し、両垂下壁及び両補助垂下壁は、この凹部の内側面と上記下部案内レールの側面との間に進入させる。
この様な構造を採用すれば、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
即ち、本発明は、上述の様な構成により、下枠の上面を実質的に平坦にする構造に限らずに実施できるが、引戸装置の構造が、下枠の上面に上記凹部を設けていないものであれば、本願発明以外の構造でもシールを図れる可能性がある。これに対して、上記凹部を設けた構造の場合には、従来構造による効果的なシールは難しいので、本発明を実施する事による効果は大きい。
【００１３】
又、上述の様な請求項３に記載した発明を実施する場合に好ましくは、請求項４に記載した様に、それぞれが可撓性及び押し付け力により移動可能な程度の剛性を有する材料により造られた１対のカバー帯を、凹部の上端開口部を覆う状態で設ける。そして、これら両カバー帯の一端部を、両引戸障子の下端部のうちで、閉鎖時に互いに突き合わされる側の端部に結合する。又、下枠の中間部で閉鎖時に両竪框の突き合わせ部の下側に位置する部分に、上記両カバー帯の中間部をそれぞれ、これら両カバー帯同士の間で互いに反対方向に１８０度折り返して、これら両カバー帯の一部を、上記下枠のうちで上記凹部よりも下側に存在する下部空間内に導入するガイドブロックを設ける。このガイドブロックは、その下面を下枠の中間部上面の凹部内で下部案内レールを除去した部分の底面に当接させた状態で固定する。そして、上記両引戸障子の移動に伴って上記両カバー帯を、上記下部空間と上記凹部の上端開口部との間で移動させて、この上端開口部で上記両引戸障子により覆われていない部分を、上記両カバー帯により覆う。
この様に構成すれば、上記下枠上面の体裁を良好にし、且つ、上記凹部内への異物の落下を防止できる。
【００１４】
又、上述の様な請求項４に記載した発明を実施する場合に好ましくは、請求項５に記載した様に、上記ガイドブロックの屋外側端部で両引戸障子を閉鎖位置に移動させた状態でこれら両引戸障子の竪框の屋外側面よりも屋外側に露出する部分に、複数の通水孔を設けた簀の子状部を設ける。この簀の子状部は、上記下枠の上面中央部に存在する雨水を、この下枠の上面から下方に排出する為のものである。
降雨時、下枠の上面中央部で上記両引戸障子の屋外側に露出した部分には雨水が溜り易く、溜った雨水をそのままにしておくと、この雨水が気密装置を通過して屋内側に入り込み易くなる。これに対して、上記簀の子状部を設ければ、上記雨水を下方に排出できて、この雨水が気密装置を通過して屋内側に入り込む事を防止できる。又、上記簀の子状部は、複数の通水孔を設けたもので、これら各通水孔の開口面積は小さくできるので、排出不能となる様な大きな異物が下枠内部に入り込む事を防止できる。
【００１５】
又、上述の様な請求項５に記載した引戸装置用気密装置を実施する場合に好ましくは、請求項６に記載した様に、１対の気密ブロックの一部に庇状部を設ける。そして、両引戸障子を閉鎖位置に移動させた状態で、これら両気密ブロックの庇状部により簀の子状部の上方を覆う。
この様に構成すれば、強風時にも、上記下枠内部の気圧が上昇する事を防止して、この下枠内部に入り込んだ雨水が、気密装置を通過して屋内側に吹き出す事を防止できる。即ち、上記両引戸障子を閉鎖位置に移動させた状態で、上記簀の子状部が屋外側に露出した状態になると、屋外側から上記両引戸障子に沿って吹き降ろされた風の一部が、上記簀の子状部を通じて上記下枠の内部に入り込み、この下枠の内部の気圧を上昇させる。この結果、この下枠の内部の気圧が高くなると、この内部に存在する雨水が気密装置を通過して屋内側に入り込み易くなる。
これに対して、上記庇状部を設ければ、屋外側から上記両引戸障子に沿って吹き降ろされた風は、この庇状部に遮られて、上記下枠の内部に入り込む事はなく、この下枠の内部の気圧を上昇させる事もない。この結果、この内部に存在する雨水が気密装置を通過して屋内側に入り込む事を防止できる。
【００１６】
更に、上述の様な請求項３〜６に記載した引戸装置用気密装置を実施する場合に好ましくは、請求項７に記載した様に、前記ガイドブロックの上部で、上記両引戸障子を閉鎖位置に移動させた状態で両補助垂下壁に対向する部分に、多数の繊維を配列して成るブラシ状体の基端部を支持する。そして、上記両引戸障子を解放位置に移動させた状態でこのブラシ状体の先端を、前記凹部の内側面に当接若しくは近接対向させる。
この様に構成すれば、上記両引戸障子を解放位置に移動させた状態で、上記ガイドブロックと上記凹部の内側面との間で、これら両引戸障子を閉鎖位置に移動させるのに伴って上記両補助垂下壁を進入させるべき部分の上端開口部を覆える。この為、上記両引戸障子を解放位置に移動させた状態で、この部分に異物が落下する事を防止できる。
【実施例】
【００１７】
図１〜５７は、本発明の実施例を示している。本実施例の窓装置は、図１に示す様に、窓枠１の左右両端部に１対の嵌め殺し窓２、２を設け、これら両嵌め殺し窓２、２同士の間の開口部を、それぞれが特許請求の範囲に記載した引戸障子である１対のガラス障子３、３により開閉する様に構成している。このうちの窓枠１は、上辺を構成する上枠４と、下辺を構成する下枠５と、左右の縦辺を構成する竪枠６、６とにより、矩形に構成している。これら各枠４〜６は、それぞれアルミニウム合金の一体押し出し成形材製である。
【００１８】
又、上記両嵌め殺し窓２、２を構成する為に、上記窓枠１の中間部に（両端からこれら両枠４、５の１／４程度中央部に寄った部分に）召し合わせ方立７、７を、上記上枠４と上記下枠５との間に掛け渡す状態で、鉛直方向に設けている。上記両嵌め殺し窓２、２はそれぞれ、上記竪枠６と上記召し合わせ方立７との間部分にガラスパネル８、８を支持固定する事により構成している。尚、本実施例の場合、上記両嵌め殺し窓２、２は、上記窓枠１のうちの屋外寄り（図２の上寄り、図３の左寄り）部分に建て込んでいる。嵌め殺し窓の構造に就いては、従来から周知であり、本発明の要旨とも関係しないので、詳しい説明は省略する。
【００１９】
又、上記各ガラス障子３、３は、それぞれの上辺を構成する上框９、９と、同じく下辺を構成する下框１０、１０と、左右の縦辺を構成する竪框である、召し合わせ框１１、１１及び突き合わせ框１２ａ、１２ｂとにより、ガラスパネル１３、１３の四辺を囲んで成る。これら各框９〜１２も、アルミニウム合金の一体押し出し成形材製である。このうちの召し合わせ框１１、１１は、上記窓装置の閉鎖時に上記両嵌め殺し窓２、２を構成する召し合わせ方立７、７の屋内側に位置して、これら両召し合わせ方立７、７と屋内外方向に亙り互いに対向する。これに対して上記各突き合わせ框１２ａ、１２ｂは、上記窓装置の閉鎖時に上記窓枠１の中央部に位置して、互いに突き合わされる。
【００２０】
上記各ガラス障子３、３は上記窓枠１の内側に、一般的に知られている引戸式窓装置と同様の構造により、水平移動自在に建て込まれている。この為に、上記上枠４の下面の屋内寄り（図３の右寄り）部分に上部案内レール１４を設けている。そして、上記各召し合わせ框１１、１１及び突き合わせ框１２ａ、１２ｂの上端部に支持したガイドブロック１５に形成したガイド溝１６に、上記各上部案内レール１４を係合させている。この構成により、上記各ガラス障子３、３の上端部を上記上枠４に沿う水平移動自在に支持している。この様に、上記各ガラス障子３、３の上辺を上記上枠４に対し水平移動自在に係合させる部分の構造は、従来から広く知られている構造と同様であり、本発明の要点とも関係しない為、詳しい説明は省略する。
【００２１】
これに対して、上記下枠５の屋内側部分には、図３に示す様に、１本の下部案内レール１７を設けている。本実施例の場合、一般的な引戸装置を構成する下枠とは異なり、上記下部案内レール１７を、上記下枠５の上面にこの下枠５の全長に亙って設けた凹部１８の底面から、上方に突出した状態で設けている。又、上記下部案内レール１７の高さ寸法は上記凹部１８の深さ寸法よりも小さくして、これら下部案内レール１７の上端縁が、上記下枠５の上面のうちで上記凹部１８の両側に存在する平面部分よりも下方に位置する様にしている。この構成により、上記下部案内レール１７の存在に拘らず、上記下枠５の上面を、幅の狭い上記凹部１８の上端開口部を除き、実質的に平坦にして、高齢者や障害者、更には車椅子等の移動を容易に行なえる様にしている。
【００２２】
この様な構成を有する上記下枠５に沿う移動を可能にする為に、上記各ガラス障子３、３の下辺を構成する前記下框１０、１０の両端部近傍部分に戸車１９を、屋内外方向に設けられた横軸を中心とする回転自在に支持している。これら各戸車１９は、従来から一般的な引戸に使用されていた戸車と同様のもので、外周面中央部に凹溝２０を、全周に亙り形成している。この様な凹溝２０を設けた上記各戸車１９をそれぞれ１対ずつ支持した上記各下框１０、１０は、上記下部案内レール１７と上記各凹溝２０とを係合させる事で、上記下枠５の上方位置に、この下枠５に沿った水平移動を自在に支持している。
以上の構成により、上記各ガラス障子３、３を上記窓枠１の内側に、同一鉛直面内での水平移動自在に建て込んでいる。
【００２３】
尚、図示の例では、上記下枠５として、１対の（或は２対の）引戸障子を引き違い式に建て込んだ窓装置に使用する下枠と共通のものを使用している。この為に、上記下枠５の上面屋外側部分にも下部案内レール１７及び凹部１８が設けられている。即ち、この下枠５の上面には、屋外側から順番に、屋外側突条２１と、中央突条２２と、屋内側突条２３とを設け、隣り合う突条同士の間に存在する凹部１８、１８内に、これら両凹部１８、１８の底面から上方に突出する状態で、それぞれ下部案内レール１７、１７を設けている。但し、このうちの屋外側部分の下部案内レール１７及び凹部１８に関しては、前記嵌め殺し窓２、２を設置した部分に相当する部分に就いては、図３に示す様に、これら両嵌め殺し窓２、２の下框２４により、これら両嵌め殺し窓２、２の間部分に就いては、図２及び後述する図２１に示す様に塞ぎ板２５により、それぞれ塞いでいる。
【００２４】
これに対して、屋内側の下部案内レール１７に関しては、上記各戸車１９を案内する為に、上記下枠５の上面に露出させている。本実施例の場合には、上記中央突条２２の屋内側面にブラケット２６を係止し、上記屋内側の下部案内レール１７の上半部を、このブラケット２６と上記屋内側突条２３との上半部同士の間の中間部に位置させている。そして、前記両ガラス障子３、３を前記窓枠１に建て込んだ状態で、上記各戸車１９の一部は、上記ブラケット２６と屋内側突条２３との上半部同士の間に入り込む。
【００２５】
又、上記両ガラス障子３、３の下框１０の屋内側壁２７の下端部を、上記下部案内レール１７と上記屋内側突条２３との間に進入させている。更に、この屋内側突条２３の上端部屋外側面に係止した、水平方向シール部材２８に設けたシールリップ２９の先端縁を上記屋内側壁２７の下端部屋内側面に摺接させて、上記下枠５と上記下框１０との間をシールしている。本実施例の場合、上記屋内側壁２７の下端部が、特許請求の範囲に記載した垂下壁に相当する。
【００２６】
又、本実施例の場合、図１に略示する様に、可撓性及び押し付け力により移動可能な程度の剛性を有する材料製のカバー帯３０、３０の一端部を、前記両ガラス障子３、３の両縦辺のうちで、閉鎖時に互いに突き合わされる側の端部である、前記両突き合わせ框１２ａ、１２ｂの下端部に連結している。これと共に、上記両カバー帯３０、３０の一部を、上記下枠５のうちで前記凹部１８よりも下側に存在する下部空間３１（図３参照）内に配設している。そして、上記両ガラス障子３、３の移動に伴って上記両カバー帯３０、３０を、上記下部空間３１部分と、上記凹部１８の上端開口部との間で移動させる事により、この上端開口部で上記ガラス障子３、３により覆われていない部分を、上記両カバー帯３０、３０により覆う様に構成している。
【００２７】
この様なカバー帯３０、３０は、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記カバー帯３０、３０として、自由状態での断面形状が円弧形となるものを使用して、このカバー帯３０、３０の肉厚を小さく抑えつつ、剛性の確保を図っている。尚、このカバー帯３０、３０の湾曲方向は、上記凹部１８の上端開口を覆った状態で、その上面が凸曲面となる方向としている。この理由は、上記カバー帯３０、３０と前記下部案内レール１７の上端縁との干渉を防止しつつ、この下部案内レール１７の高さ寸法を確保する為である。
【００２８】
この様なカバー帯３０、３０の幅方向両側縁は、上記凹部１８の上端開口両側部分に設けられたガイド溝３２、３２に、長さ方向の摺動自在に係合している。この為に、前記ブラケット２６と前記屋内側突条２３との互いに対向する面の上端部に、上記各ガイド溝３２、３２を設けている。本実施例の場合、これら各ガイド溝３２、３２を、前記下枠５を構成するアルミニウム合金の押し出し型材製の部材に形成した係止溝に係止した、合成樹脂の押し出し型材製のライナ部材３３、３３ａに形成している。尚、屋内側のライナ部材３３ａに就いては、前記水平方向シール部材２８の上端部に、この水平方向シール部材２８と一体に設けている。上記両カバー帯３０、３０が上記下枠５に沿って移動する際には、このカバー帯３０、３０の両側縁が上記各ガイド溝３２、３２に案内される。
【００２９】
この様なカバー帯３０、３０は、その一端部を前記ガラス障子３、３の縦辺を構成する突き合わせ框１２ａ、１２ｂの下端部に連結している。この為に本実施例の場合には、上記両カバー帯３０の一端部に図４に示す様な係止片３４を固定し、上記両突き合わせ框１２ａ、１２ｂの下部に、図５〜８に示す様な受具３５を設けている。このうちの係止片３４は、例えば合成樹脂の射出成形により造られたもので、上記カバー帯３０の一端部上面に、リベット及び連結金具３６を介して連結固定されている。又、上記受具３５は、例えば合成樹脂の射出成形により造られたもので、図７に示す様に、上記両突き合わせ框１２ａ、１２ｂの下部で互いに対向する面に設けられた凹部３７内に、昇降のみ自在に装着されている。尚、上記両突き合わせ框１２ａ、１２ｂの形状は多少相違し、これに合わせてこれら両突き合わせ框１２ａ、１２ｂに装着する受具３５の形状も多少相違する。但し、その相違は本質的なものではないので、以下、一方（図７の左方）の突き合わせ框１２ａに装着する受具３５に就いて説明する。
【００３０】
上記受具３５の下端部には、下方に開口した受け溝部３８を設けている。上記カバー帯３０を上記突き合わせ框１２ａの下端部に結合する際には、上記受具３５を下降させて、上記受け溝部３８内に上記係止片３４の係止突壁３９を進入させる。この結果、上記突き合わせ框１２ａの水平移動に伴って、上記カバー帯３０の一端部が押し引きされる様になる。又、上記受具３５の中央部には弾性係止片４０を形成し、この弾性係止片４０を、上記突き合わせ框１２ａの仕切板部４１の上下２個所位置に形成した係止孔若しくは係止凹部に係脱自在としている。これら両係止孔若しくは係止凹部の上下位置は、次の様に規制している。尚、上記仕切板部４１の下端部は、上記受具３５の必要とする昇降量を確保する為に、これら両係止孔若しくは係止凹部よりも下側位置で少し切り欠いている。
【００３１】
上記カバー帯３０の一端寄り部分を前記両ガイド溝３２、３２に係合させると共に、上側の係止孔若しくは係止凹部に上記弾性係止片４０を係合させた状態で、上記受け溝部３８の下方に上記係止突壁３９を進退自在とする。即ち、この状態では、この受け溝部３８を構成する為に上記受具３５の先端部下面に設けた１対の係止壁部４２ａ、４２ｂのうちの先端寄り（図５の左寄り）の係止壁部４２ａの下端縁位置が上記係止突壁３９の上端縁位置よりも下方に存在するが、基端寄り（図５の右寄り）の係止壁部４２ｂの下端縁位置は上記係止突壁３９の上端縁位置よりも上方に存在する。この状態で、前記下枠５に沿って上記カバー帯３０と前記ガラス障子３とを相対変位させれば、上記受け溝部３８の下方に上記係止突壁３９を進退させられる。これに対して、下側の係止孔若しくは係止凹部に上記弾性係止片４０を係合させた状態では、上記基端寄りの係止壁部４２ｂの下端縁位置も、上記係止突壁３９の上端縁位置よりも下方に存在する様になる。この状態では、上記受け溝部３８と上記係止突壁３９との係合が外れなくなって、上記突き合わせ框１２ａの水平移動に伴い、上記カバー帯３０の一端部が押し引きされる様になる。尚、上記受具３５の上下２個所位置に形成した円形の貫通孔は、上記突き合わせ框１２ａと下框１０とを連結するタッピングねじを回転させたり、前記戸車１９の高さ調節を行なう工具（ドライバ）を挿通する為のものである。
【００３２】
上述の様にして、その一端部を前記１対のガラス障子３、３の互いに対向する縦辺を構成する突き合わせ框１２ａ、１２ｂの下端部に結合した上記カバー帯３０は、図９〜２１に示す様な構造により、その中間部を１８０度折り返している。要するに、上記両ガラス障子３、３の移動に伴って上記カバー帯３０の一端部を押し引きし、このカバー帯３０を、前記下部空間３１部分と、前記凹部１８の上端開口部に設けた前記両ガイド溝３２、３２との間で移動させて、この上端開口部のうちで上記ガラス障子３、３により覆われていない部分を、上記両カバー帯３０、３０により覆う様に構成している。
【００３３】
本実施例の場合には、これら両カバー帯３０、３０の中間部を１８０度折り返す為に、図９〜１８に示す様なガイドブロック４３を、図１９〜２１に示す様に、前記下枠５の中央部に組み込んでいる。このガイドブロック４３は、合成樹脂を射出成形して成るもので、それぞれが半円形である１対のガイド部４４、４４を有する。これら両ガイド部４４、４４はそれぞれ、上記両ガラス障子３、３の突き合わせ框１２ａ、１２ｂの下端部にそれぞれの一端を連結した、上記両カバー帯３０、３０の中間部を、それぞれ１８０度ずつ折り返す為のものである。この様な両ガイド部４４、４４は、上記ガイドブロック４３を構成する取付基部４５の屋内側面に、互いの突縁同士を互いに対向させた状態で、上記下枠５の長さ方向に少し間隔をあけて設けられている。
【００３４】
又、上記取付基部４５の上端部で上記両ガイド部４４、４４の上方位置に天板部４６を、この天板部４６の屋外側部分に簀の子状部４７を、それぞれ設けている。このうちの天板部４６は、上板部と下板部とを備えた上下二重構造で、これら両板部同士の間に、図１７〜１８に示す様に、多数の繊維を配列して成るブラシ状体４８の基半部（図１７の上半部、図１８の右半部）を挟持した状態で接着固定している。又、上記簀の子状部４７は、上記ガイドブロック４３を設置した、上記下枠５の中央部上面に雨水が溜まるのを防止する為に設けている。
【００３５】
即ち、上記簀の子状部４７は、上記下枠５の上面中央部で上記ガラス障子３、３よりも屋外側に存在する雨水を、この下枠５の上面から下方に排出する為のものである。降雨時、この下枠５の上面中央部で上記両ガラス障子３、３の屋外側に露出した部分には雨水が溜り易く、溜った雨水をそのままにしておくと、この雨水が前記凹部１８内に入り込み、前記水平方向シール部材２８と、前記屋内側壁２７の下端部屋内側面との当接部等を通過して屋内側に入り込み易くなる。
【００３６】
これに対して本実施例の場合には、上記簀の子状部４７を設ける事により、上記雨水を下方に排出する様にしている。この簀の子状部４７を通過して上記下枠５の中央部上面からこの下枠５内に入り込んだ雨水は、この下枠５に設けられた排水孔を通じて屋外側に排出される。この様に、下枠５内に入り込んだ雨水を屋外側に排出する為の構造は、従来から広く知られているので、詳しい図示並びに説明は省略する。本実施例の場合には、上記簀の子状部４７を設ける事により、上記下枠５の上面中央部で上記ガラス障子３、３よりも屋外側に雨水が溜る事を防止して、この雨水が、上記凹部１８を通じて屋内側に入り込む事を防止できる。又、上記簀の子状部４７は、複数の通水孔４９、４９を設けたもので、これら各通水孔４９、４９の開口面積は小さくできるので、排出不能となる様な大きな異物が上記下枠５の内部に入り込む事を防止できる。
【００３７】
又、前記ブラシ状体４８の先端部は、上記両ガラス障子３、３を閉鎖位置に移動させるのに伴って、後述する補助垂下壁５０ａ、５０ｂが上記下枠５の中央部で突き合わされる事を許容し、しかも、上記両ガラス障子３、３を解放位置に移動させた状態で、上記下枠５の中央部で前記凹部１８の上端開口部に、異物が落下する様な隙間が生じない様にする役目を有する。この為に、上記両ガラス障子３、３を解放位置に移動させた状態で、上記ブラシ状体４８の先端を、上記凹部１８の内側面に当接若しくは近接対向させる様にしている。即ち、本実施例の場合には、この様に構成する事により、上記両ガラス障子３、３を解放位置に移動させた状態で、前記ガイドブロック４３の取付基部４５の屋内側面と上記凹部１８の内側面との間で、上記両ガラス障子３、３を閉鎖位置に移動させるのに伴って上記両補助垂下壁５０ａ、５０ｂを進入させるべき部分の上端開口部を覆い、上記両ガラス障子３、３を解放位置に移動させた状態で、この部分に異物が落下する事を防止する様に構成している。
【００３８】
前述の様なガイドブロック４３を装着する為に、上記下枠５の中央部では、前記ブラケット２６及び前記下部案内レール１７（図３参照）を不連続とすると共に、前記中央突条２２の屋内側面及び前記屋内側突条２３の屋外側面に形成した突部を一部除去している。そして、上記取付基部４５の下面を、上記下枠５の水平板部５１の中央部で、上記中央突条２２の屋内側面と上記屋内側突条２３の屋外側面との間部分の屋外寄り部分の上面に当接させている。更に、上記取付基部４５の中央部に上下方向に形成した取付孔を上方から挿通した取付ねじ５２により、この取付基部４５を上記下枠５の中央部に支持固定している。
【００３９】
又、図示の例では、上記下枠５の中央部で上記ガイドブロック４３の下方に、図２２〜２６に示す様な補助ガイドブロック５３を、図２７〜２８に示す様な状態で支持固定している。この補助ガイドブロック５３は、上記下枠５の中央部に上方から差し込まれた前記両カバー帯３０、３０の進行方向を上下方向から水平方向に変換して、上記下枠５の下部空間３１に導く為のものである。この様な補助ガイドブロック５３を支持固定する為に、上記下枠５の中央部では、図２９に示す様に、前記下部案内レール１７を切除して不連続部とすると共に、上記水平板部５１の一部を切除して透孔５４を形成している。又、水平方向シール部材２８（図３参照）を係止する為に、前記屋内側突条２３の上端部屋外側面に形成した係止突条の一部も、上記下枠５の中央部で切除している。これに伴って、上記水平方向シール部材２８も、この下枠５の中央部で不連続になっている。
【００４０】
上記補助ガイドブロック５３は、合成樹脂を射出成形して成るもので、中央部下半に、ガイドブロック部５５を有する。このガイドブロック部５５は、富士山の頂部を上方に延ばした如き形状としたもので、上記下枠５に装着した状態でこの下枠５の長さ方向両側面に、それぞれ四分の一凹円弧形のガイド面５６、５６を有する。これら両ガイド面５６、５６の下端側である、上記ガイドブロック部５５の両端縁は、それぞれ極薄の尖端縁となっている。又、上記ガイドブロック部５５の屋内側には、鉛直壁部５７を設け、この鉛直壁部５７の両側上下方向中央部から屋外側に突出する状態で、１対の取付フランジ部５８、５８を形成している。又、上記鉛直壁部５７の上端部に、上記下枠５の長さ方向に長いシール板部５９を設けている。
【００４１】
このシール板部５９は、上記水平方向シール部材２８の不連続部のシール性を確保する為のもので、周面（＝長さ方向両端面及び内外両側面＝図２２〜２６に梨子地で表した部分）に、ゴムの如きエラストマー等の弾性シール材６０を貼付している。更に、上記シール板部５９を含めて、上記鉛直壁部５７の屋外側面には、前記両カバー帯３０、３０の端縁部との干渉を防止する為の円弧状の凹部６１を形成している。尚、上記補助ガイドブロック５３のシール板部５９を省略する代わりに、上記水平方向シール部材２８の基部を係止する為に上記屋内側突条２３の上端部屋外側面に形成した係止突条を上記下枠５の中央部で切除せずに、上記水平方向シール部材２８の不連続部をなくす事も可能である。但し、この場合には、上記係止突条を切除しなくても、上記補助ガイドブロック５３を上記下枠５の所定位置に装着でき、且つ、上記両カバー帯３０、３０を配設できる事が条件となる。
【００４２】
上述の様な構成を有する上記補助ガイドブロック５３は、上記両取付フランジ部５８、５８の下面よりも下側に存在する下半部を、前記透孔５４を通じて前記下部空間３１内に挿入する。この状態で上記両取付フランジ部５８、５８を、前記水平板部５１の上面にねじ止め固定する。又、この状態で上記シール板部５９は上記水平方向シール部材２８の不連続部に位置し、上記弾性シール材６０とこの水平方向シール部材２８の端面とが当接若しくは近接対向する。更に、上記両ガイド面５６、５６の下端側端部は、上記下部空間３１内に配設した、次述するガイドチューブ６２の開口部に整合させて、このガイドチューブ６２との間で、前記両カバー帯３０、３０の受渡を円滑に行なわせる様にしている。
【００４３】
上記ガイドチューブ６２は、アルミニウム合金、合成樹脂等の一体押し出し成形材製で、図３０〜３１に示す様に、上記両カバー帯３０、３０を摺動自在に収納する為の、矩形チューブ状の収納部６３と、この収納部６３の上面から上方に突出した係止突条６４とを有する。このうちの収納部６３の中央部は、図３０に示す様に、底板部を除く部分を切除して、切除した部分に、上記補助ガイドブロック５３の下半部を挿入自在としている。又、上記係止突条６４はその中央部を、上記収納部６３よりも少し広い範囲で切除している。
【００４４】
この様なガイドチューブ６２は、図３２に示す様に、上記係止突条６４の上端部を、前記下枠５の一部に、この下枠５と前記突き合わせ框１２ａ（１２ｂ）とを結合する為のタッピングねじを螺合する為に設けたタッピング溝６５に係合させつつ、上記下枠５の下部空間３１内に、この下枠５の端部開口から挿入する。そして、上記底板部を除いて切除した上記収納部６３の中央部を、前記水平板部５１の一部を切除して形成した透孔５４（図２９参照）の下側に位置させた状態で、前記補助ガイドブロック５３の下半部をこの透孔５４に、上記水平板部５１の上方から挿入し、この補助ガイドブロック５３の下面を、上記収納部６３の底板部の中央部上面に当接させる。この結果、上記ガイドチューブ６２が上記下部空間３１内に、水平方向の移動を阻止された状態で、がたつきなく支持固定されると共に、上記底板部の上面と前記両ガイド面５６、５６とが滑らかに連続する。尚、これら両ガイド面５６、５６の下端部が上記底板部の上面よりも多少上側に位置する事は差し支えない（逆は不可である）。
【００４５】
上述の様なガイドチューブ６２の収納部６３の左右両側部分には、それぞれの一端部を上記両突き合わせ框１２ａ、１２ｂの下端部に連結した前記両カバー帯３０、３０の中間部乃至他端部を挿入している。この挿入作業は、上記下枠５を構成する水平板部５１の中央部に形成した上記透孔５４を通じて上記両カバー帯３０、３０を、それぞれの他端部を下にし、この他端部を上記両ガイド面５６、５６に突き当てる様にして行なう。これら両ガイド面５６、５６に突き当てられた上記両カバー帯３０、３０の他端部は、これら両ガイド面５６、５６に案内されて湾曲しつつ上記ガイドチューブ６２の収納部６３の左右両側部分に入り込む。この際、上記両カバー帯３０、３０の他端部乃至中間部を上記両ガイド面５６、５６に手指により抑え付ける。又、挿入作業は、上記両カバー帯３０、３０毎に前後して行なう。
【００４６】
尚、上記補助ガイドブロック５３の上方に前記ガイドブロック４３をねじ止め固定する作業並びに上記両カバー帯３０、３０の一端部を上記両突き合わせ框１２ａ、１２ｂの下端部に連結する作業は、上記両カバー帯３０、３０の中間部乃至他端を上記ガイドチューブ６２の収納部６３の左右両側部分に挿入した後に行なう。具体的には、この挿入作業の後に、先ず、上記両カバー帯３０、３０の一端寄り部分を上記下枠５の上方に引き出した状態で、これら両カバー帯３０、３０の中間部一端寄り部分を上記ガイドブロック４３に設けた前記両ガイド部４４、４４に巻き掛ける。次いで、このガイドブロック４３を上記下枠５の中央部にねじ止め固定してから、前記図４に示した様な係止片３４と、前記図５〜８に示す様な受具３５とを係合させて、上記両カバー帯３０、３０の一端部を上記両突き合わせ框１２ａ、１２ｂの下端部に連結する。これら一連の作業を完了した状態では、前述の図１９に示す様に、上記両カバー帯３０、３０の中間部が、上記ガイドブロック４３のガイド部４４、４４により１８０度折り返された状態となる。
【００４７】
上述の様にして、それぞれの一端部を上記両突き合わせ框１２ａ、１２ｂの下端部に連結されると共に、それぞれの中間部を１８０度折り返された上記両カバー帯３０、３０は、前記両ガラス障子３、３を開放方向に移動させる事に伴い、上記下枠５の上面に形成された凹部１８の上端開口を覆う。即ち、上記両ガラス障子３、３を開放方向に移動させると、それまでこれらガラス障子３、３により上方を覆われていた、上記下枠５の中央部が露出する。同時に、上記収納部６３から上記カバー帯３０、３０が、これら両ガラス障子３、３の移動方向後方に位置する上記ガイドブロック４３部分から引き出される。そして上記両カバー帯３０、３０が、それぞれの両側縁を前記各ガイド溝３２、３２に係合させつつ上記凹部１８の上端開口部に引き出されて、この凹部１８の上端開口部を覆う。この状態では、上記下枠５の上面の体裁を良好にし、且つ、この凹部１８内に異物が落下する事を防止できる。
【００４８】
上述の様な引戸装置に関して実施する、本発明の引戸装置用気密装置では、上記両ガラス障子３、３の突き合わせ框１２ａ、１２ｂ同士の間のシールを、図２、７に示す様にして図っている。即ち、一方の突き合わせ框１２ａに向け張り出す状態で他方（図２、７の右方）の突き合わせ框１２ｂに形成した係止部６６、６６に係止した１対の鉛直方向シール材６７、６７を構成するシールリップを、上記一方の突き合わせ框１２ａの先端部両側面に弾接させている。要するに、上記両ガラス障子３、３を閉鎖位置に移動させた状態で、上記両係止部６６、６６に形成した上記両鉛直方向シール材６７、６７により上記一方の突き合わせ框１２ａの戸先側端部を屋内外両側から挟持し、上記両突き合わせ框１２ａ、１２ｂ同士の間のシールを図っている。
【００４９】
又、上記両鉛直方向シール材６７、６７が下方に落下しない様にすべく、上記両係止部６６、６６の下端部に、図３３〜３４に示す様に、止めブラケット６８を嵌合固定している。この止めブラケット６８は、図３５〜３８に示す様に、合成樹脂製で上記係止部６６の下端部に嵌合固定自在な固定片６９と、ゴムの如きエラストマー等の弾性材製で、この固定片６９にその基部を結合固定されたシール片７０とから成る。このうちの固定片６９は、上記係止部６６の下端部に内嵌される、略Ｔ字形の内側嵌合部７１と、同じく下端部に外嵌される外側嵌合部７２とを備える。これら両嵌合部７１、７２同士は、下端の底板部７３で連結されている他、この底板部７３の上面から上方に突出した嵌合突部７４によっても連結されている。一方、上記両係止部６６、６６の下端縁には、この嵌合突部７４を圧入できるだけの大きさを有する、倒立Ｕ字形の切り欠きを形成している。
【００５０】
上述の様な止めブラケット６８は、上記嵌合突部７４を上記切り欠きに圧入しつつ、上記内側嵌合部７１を上記係止部６６の下端部に内嵌し、上記外側嵌合部７２をこの係止部６６の下端部に外嵌する事で、この係止部６６の下端部に固定する。そして、この状態で、上記シール片７０の上端面に上記鉛直方向シール材６７の下端面を突き当てて、この鉛直方向シール材６７の落下を防止すると共に、上記両突き合わせ框１２ａ、１２ｂ同士の間のシールを、これら両突き合わせ框１２ａ、１２ｂの下端部に至る迄図れる様にしている。
【００５１】
更に、本実施例の場合には、図３９〜４２に示した構造により、前記下枠５の中央部及び上記両ガラス障子３、３の突き合わせ部の周辺部のシール性の確保を図っている。この部分のシール性の確保を図る為に、上記両突き合わせ框１２ａ、１２ｂの下端部に、それぞれ気密ブロック７５ａ、７５ｂを固定している。これら両気密ブロック７５ａ、７５ｂのうち、上記一方の突き合わせ框１２ａの下端部に固定する、図３９〜４２の左側の気密ブロック７５ａは図４３〜４８に示す様に、同じく右側の気密ブロック７５ｂは図４９〜５４に示す様に、それぞれ形成されている。これら図３９〜５４中、梨子地で表した部分は、ゴムの如きエラストマー等の弾性材製のシートを貼着した部分、それ以外の部分は合成樹脂を射出成形する事により造られた部分である。
【００５２】
上記両気密ブロック７５ａ、７５ｂはそれぞれ、上記両突き合わせ框１２ａ、１２ｂの下端部にがたつきなく内嵌される嵌合部７６ａ、７６ｂと、この嵌合部７６ａ、７６ｂの下端部に形成した外向フランジ状の鍔部７７ａ、７７ｂと、この鍔部７７ａ、７７ｂよりも下方に垂れ下がった補助垂下壁５０ａ、５０ｂとから成る。この様な上記両気密ブロック７５ａ、７５ｂはそれぞれ、図５５〜５７に示す様に、金属製の補強板７８で抑え付ける状態で、上記両突き合わせ框１２ａ、１２ｂの下端部にねじ止め固定している。又、次述する庇部７９ａ、７９ｂの屋内側壁部に形成した係止部８２ａ、８２ｂを、上記両突き合わせ框１２ａ、１２ｂの屋外側壁の下端縁に形成した切り欠きに係合させる事で、上記庇部７９ａ、７９ｂがこの屋外側壁の屋外側面から浮き上がらない様にしている。尚、上記両気密ブロック７５ａ、７５ｂを上記両突き合わせ框１２ａ、１２ｂの下端部に固定する際に、図４０に示す様に、上記鍔部７７ａ、７７ｂの上面にコーキング剤等のシール剤８３を塗布して、この鍔部７７ａ、７７ｂの上面と上記両突き合わせ框１２ａ、１２ｂの下端縁との間をシールしている。
【００５３】
又、上記両気密ブロック７５ａ、７５ｂを上記両突き合わせ框１２ａ、１２ｂの下端部に固定した状態で、上記両補助垂下壁５０ａ、５０ｂの水平方向に関して基端部（互いに反対側の端部）は、特許請求の範囲に記載した垂下壁に相当する、前記両ガラス障子３、３の下辺を構成する下框１０の屋内側壁２７（図３参照）の下端部で前記下枠５の上面よりも下方に存在する部分と連続している。又、上記両ガラス障子３、３を閉鎖位置に移動させた状態で、上記両補助垂下壁５０ａ、５０ｂの水平方向に関して先端縁同士は互いに突き合わされる。この突き合わせ部分では、他方の突き合わせ框１２ｂの下端部に固定した気密ブロック７５ｂの補助垂下壁５０ｂの先端縁に貼着した弾性材製のシートを挟持して、この突き合わせ部をシールする。
【００５４】
又、上記両補助垂下壁５０ａ、５０ｂの屋内側面と上記屋内側壁２７の下端部の屋内側面とは同一鉛直面内に存在する。又、上記両ガラス障子３、３を閉鎖位置に移動させた状態で、上記両補助垂下壁５０ａ、５０ｂの屋内側面は、前記補助ガイドブロック５３の上端部に設けたシール板部５９の屋外側面に当接若しくは近接対向する。この為、上記両ガラス障子３、３を閉鎖位置に移動させた状態では、これら両ガイド障子３、３の下辺と上記下枠５との間のシール線が、上記両突き合わせ框１２ａ、１２ｂの下方位置に於いて不連続になる事はない。尚、上記両ガラス障子３、３を閉鎖位置に移動させる際には、上記両補助垂下壁５０ａ、５０ｂが、前記ブラシ状体４８を構成する多数の繊維を押し退け（弾性変形させ）つつ、前記下部案内レール１７と前記屋内側突条２３との間部分に進入する。
【００５５】
又、上記両ガラス障子３、３を閉鎖位置に移動させた状態で、前記シール片７０の下端部は、図３３、３９に示す様に、前記両鍔部７７ａ、７７ｂの先端部上面を含む前記両気密ブロック７５ａ、７５ｂの先端部の表面に、当接若しくは近接対向する。この結果、前記下枠５の中央部及び上記両ガラス障子３、３の突き合わせ部の周辺部のシール性を、実用上十分なレベルで図れる。
【００５６】
又、上記両ガラス障子３、３を閉鎖位置に移動させた状態では、前記両気密ブロック７５ａ、７５ｂの屋外側に突出する状態で設けた庇部７９ａ、７９ｂが、前記ガイドブロック４３の上端部屋外側に設けた簀の子状部４７の上方に位置する。この簀の子状部４７は、前述した様に、上記下枠５の中央部上面に多量の雨水が溜まる事を防止する為に設けている。但し、上記両ガラス障子３、３を閉鎖位置に移動させた状態で上記簀の子状部４７が屋外側に露出していると、これら両ガラス障子３、３に吹き付けた風がこの簀の子状部４７を通じて上記下枠５内に入り込み、この下枠５内の圧力を上昇させる可能性がある。そして、この下枠５内の圧力が上昇すると、この下枠５内に雨水が存在した場合に、この雨水が前記水平方向シール部材２８等によるシール部を通過して、屋内側に吹き出す可能性がある。これに対して図示の例では、上記両庇部７９ａ、７９ｂが上記簀の子状部４７の上方を覆う為、前述した様に、上述の様な原因で、室内に雨水が吹き出す事を防止できる。尚、上記両ガラス障子３、３を閉鎖位置に移動させた状態では、上記両気密ブロック７５ａ、７５ｂの屋外側に突出する状態で設けた庇部７９ａ、７９ｂの先端面同士の間でも、弾性材製のシートを挟持して、この突き合わせ部をシールする。
【００５７】
更に、図示の例では、上記両ガラス障子３、３を閉鎖位置に移動させた状態で露出する上記下枠５の両端部に関して、前記凹部１８の上端開口部を第二カバー帯により覆う構造を設けている。この様な構造に就いては、基本的には前述の特願２００３−３５０５９３号に係る先発明の構想をそのまま利用できる。又、この特願２００３−３５０５９３号には、竪枠と竪框との間で下枠上面の凹部の上端開口をカバー帯で覆う構造に関して、次の(イ)(ロ)に示す２通りの構造が記載されている。
(イ) カバー帯の一端部を下枠の端部に結合支持すると共に、このカバー帯の中間部乃至他端部を竪框の内部に収納する。
(ロ) カバー帯の一端部を竪框の下端部に結合支持すると共に、このカバー帯の中間部乃至他端部を竪枠の内部に収納する。
【００５８】
これら(イ)(ロ)に示す２通りの構造のうちの(イ) に示した構造の場合には、カバー帯の両端縁部を凹部の開口部に載せるだけで、このカバー帯の両端縁部をこの開口部に沿って設けたガイド溝３２、３２（図３参照）に係合させる事はできない。これに対して上記(ロ) に記載した構造は、カバー帯の両端縁部をこの開口部に沿って設けたガイド溝３２、３２に係合させて、このカバー帯の浮き上りを防止する事ができる。この為、図示の実施例では、上記(ロ) に記載した構造を採用している。
【００５９】
この(ロ) に記載した構造を構成する為に図示の例では、１対の第二カバー帯８０（図２参照）の一端部を、前記両ガラス障子３、３の召し合わせ框１１の下端部に連結すると共に、この第二カバー帯８０の中間部乃至他端寄り部分の両側縁を、上記両ガイド溝３２、３２に係合させている。この第二カバー帯８０の一端と上記召し合わせ框１１の下端部との連結部、並びに、この第二カバー帯８０の両側縁と上記両ガイド溝３２、３２との係合部の構造は、前記両カバー帯３０、３０の場合と同様である。上記(ロ) に記載した構造を構成する為に、前記窓枠１の竪辺を構成する竪枠６内に、図２に示す様に、竪方向収納部８１を設けている。そして、この竪方向収納部８１の下端開口と上記両ガイド溝３２、３２の水平方向端部との間に、上記第二カバー帯８０の進行方向を９０度変更する為のガイドブロック（図示省略）を設けている。このガイドブロックは、ナイロンの如き滑り易い合成樹脂により造り、その内部に上記第二カバー帯８０の進行方向を、水平方向と鉛直方向とで９０度変更する為のガイド通路を設けている。このガイド通路は、上記竪方向収納部８１の下端開口に整合する鉛直部と、上記両ガイド溝３２、３２の水平方向端部に整合する水平部とを、四分の一円弧状に湾曲した連結部により滑らかに連続させたものである。
【００６０】
上述の様に構成するので、上記両ガラス障子３、３を閉鎖方向に向け前記下枠５の中央部に移動させると、上記第二カバー帯８０が上記竪方向収納部８１から上記両ガイド溝３２、３２の間部分に引き出され、上記下枠５の両端部に関して、前記凹部１８の上端開口部を覆う。これに対して、上記両ガラス障子３、３を開放方向に向け上記下枠５の端部に移動させると、上記第二カバー帯８０が、上記両ガイド溝３２、３２の間部分から上記竪方向収納部８１に押し込まれる。この為、上記両ガラス障子３、３の移動を可能にし、且つ、これら両ガラス障子３、３を閉鎖方向に移動させた状態で露出する、上記下枠５の両端寄り部分で、上記凹部１８の上端開口を覆える。
【図面の簡単な説明】
【００６１】
【図１】本発明の実施例を示す、窓装置を屋内側から見た状態で示す正面図。
【図２】図１の拡大Ａ−Ａ断面図。
【図３】同拡大Ｂ−Ｂ断面図。
【図４】係止片を固定したカバー帯の一端部の部分正面図。
【図５】突き合わせ框の下端部に装着する受具の正面図。
【図６】図５の右方から見た図。
【図７】突き合わせ框への組み付け状態を示す平面図。
【図８】同側面図。
【図９】ガイドブロックを屋内側上方から見た状態で示す斜視図。
【図１０】同じく屋外側上方から見た状態で示す斜視図。
【図１１】同じく屋内側下方から見た状態で示す斜視図。
【図１２】同じく屋外側下方から見た状態で示す斜視図。
【図１３】同じく屋内側から見た状態で示す正面図。
【図１４】同じく屋外側から見た状態で示す背面図。
【図１５】同じく平面図。
【図１６】同じく図１３の右方から見た図。
【図１７】ガイドブロックにブラシ状体を装着した状態で示す平面図。
【図１８】図１７の右方から見た図。
【図１９】ガイドブロック及び補助ブロックとカバー帯との組み付け状態を示す、図１のＣ部に相当する部分正面図。
【図２０】図１９の上方から見た平面図。
【図２１】図１９の右方から見た部分側面図。
【図２２】補助ガイドブロックを屋外側上方から見た状態で示す斜視図。
【図２３】同じく屋内側上方から見た状態で示す斜視図。
【図２４】同じく屋外側下方から見た状態で示す斜視図。
【図２５】同じく屋内側下方から見た状態で示す斜視図。
【図２６】同じく屋外側から見た状態で示す正面図。
【図２７】下枠へのガイドブロック及び補助ガイドブロックの組み付け状態を示す平面図。
【図２８】同じく図２７の右方から見た側面図。
【図２９】ガイドブロック及び補助ガイドブロックを組み付ける為に加工した、下枠中央部の形状を示す平面図。
【図３０】ガイドチューブの正面図。
【図３１】図３０のＤ−Ｄ断面図。
【図３２】下枠への組み付け状態を示す断面図。
【図３３】突き合わせ框の下端部に装着する止めブラケットの側面図。
【図３４】同じく平面図。
【図３５】止めブラケットを取り出して図３３と同方向から見た図。
【図３６】図３５の上方から見た平面図。
【図３７】同じく下方から見た底面図。
【図３８】図３５の右方から見た図。
【図３９】下枠の中央部及び両ガラス障子の突き合わせ部の周辺部のシール性を確保する為の構造を取り出して屋内側斜め上方から見た状態で示す斜視図。
【図４０】図３９と反対側の屋内側斜め上方から見た状態で示す斜視図。
【図４１】突き合わせない状態で見た平面図。
【図４２】閉鎖状態に対応する、突き合わせた状態で見た平面図。
【図４３】一方の気密ブロックを屋外側上方戸先側から見た状態で示す斜視図。
【図４４】同じく屋内側上方で逆側から見た状態で示す斜視図。
【図４５】同じく屋外側下方で逆側から見た状態で示す斜視図。
【図４６】同じく屋内側から見た正面図。
【図４７】同じく図４６の上方から見た平面図。
【図４８】同じく図４６の左方から見た側面図。
【図４９】他方の気密ブロックを屋外側上方戸先側から見た状態で示す斜視図。
【図５０】同じく屋内側上方で逆側から見た状態で示す斜視図。
【図５１】同じく屋外側下方で逆側から見た状態で示す斜視図。
【図５２】同じく屋内側から見た正面図。
【図５３】同じく図５２の上方から見た平面図。
【図５４】同じく図５２の左方から見た側面図。
【図５５】突き合わせ框下端部への気密ブロックの組み付け状態を示す正面図。
【図５６】同じく平面図。
【図５７】同じく側面図。
【符号の説明】
【００６２】
１    窓枠
２    嵌め殺し窓
３    ガラス障子
４    上枠
５    下枠
６    竪枠
７    召し合わせ方立
８    ガラスパネル
９    上框
１０    下框
１１    召し合わせ框
１２ａ、１２ｂ  突き合わせ框
１３    ガラスパネル
１４    上部案内レール
１５    ガイドブロック
１６    ガイド溝
１７    下部案内レール
１８    凹部
１９    戸車
２０    凹溝
２１    屋外側突条
２２    中央突条
２３    屋内側突条
２４    下框
２５    塞ぎ板
２６    ブラケット
２７    屋内側壁
２８    水平方向シール部材
２９    シールリップ
３０    カバー帯
３１    下部空間
３２    ガイド溝
３３、３３ａ  ライナ部材
３４    係止片
３５    受具
３６    連結金具
３７    凹部
３８    受け溝部
３９    係止突壁
４０    弾性係止片
４１    仕切板部
４２ａ、４２ｂ  係止壁部
４３    ガイドブロック
４４    ガイド部
４５    取付基部
４６    天板部
４７    簀の子状部
４８    ブラシ状体
４９    通水孔
５０ａ、５０ｂ  補助垂下壁
５１    水平板部
５２    取付ねじ
５３    補助ガイドブロック
５４    透孔
５５    ガイドブロック部
５６    ガイド面
５７    鉛直壁部
５８    取付フランジ部
５９    シール板部
６０    弾性シール材
６１    凹部
６２    ガイドチューブ
６３    収納部
６４    係止突条
６５    タッピング溝
６６    係止部
６７    鉛直方向シール材
６８    止めブラケット
６９    固定片
７０    シール片
７１    内側嵌合部
７２    外側嵌合部
７３    底板部
７４    嵌合突部
７５ａ、７５ｂ  気密ブロック
７６ａ、７６ｂ  嵌合部
７７ａ、７７ｂ  鍔部
７８    補強板
７９ａ、７９ｂ  庇部
８０    第二カバー帯
８１    竪方向収納部
８２ａ、８２ｂ  係止部
８３    シール剤
【図１】
2006144336.tif 000003
【図２】
2006144336.tif 000004
【図３】
2006144336.tif 000005
【図４】
2006144336.tif 000006
【図５】
2006144336.tif 000007
【図６】
2006144336.tif 000008
【図７】
2006144336.tif 000009
【図８】
2006144336.tif 000010
【図９】
2006144336.tif 000011
【図１０】
2006144336.tif 000012
【図１１】
2006144336.tif 000013
【図１２】
2006144336.tif 000014
【図１３】
2006144336.tif 000015
【図１４】
2006144336.tif 000016
【図１５】
2006144336.tif 000017
【図１６】
2006144336.tif 000018
【図１７】
2006144336.tif 000019
【図１８】
2006144336.tif 000020
【図１９】
2006144336.tif 000021
【図２０】
2006144336.tif 000022
【図２１】
2006144336.tif 000023
【図２２】
2006144336.tif 000024
【図２３】
2006144336.tif 000025
【図２４】
2006144336.tif 000026
【図２５】
2006144336.tif 000027
【図２６】
2006144336.tif 000028
【図２７】
2006144336.tif 000029
【図２８】
2006144336.tif 000030
【図２９】
2006144336.tif 000031
【図３０】
2006144336.tif 000032
【図３１】
2006144336.tif 000033
【図３２】
2006144336.tif 000034
【図３３】
2006144336.tif 000035
【図３４】
2006144336.tif 000036
【図３５】
2006144336.tif 000037
【図３６】
2006144336.tif 000038
【図３７】
2006144336.tif 000039
【図３８】
2006144336.tif 000040
【図３９】
2006144336.tif 000041
【図４０】
2006144336.tif 000042
【図４１】
2006144336.tif 000043
【図４２】
2006144336.tif 000044
【図４３】
2006144336.tif 000045
【図４４】
2006144336.tif 000046
【図４５】
2006144336.tif 000047
【図４６】
2006144336.tif 000048
【図４７】
2006144336.tif 000049
【図４８】
2006144336.tif 000050
【図４９】
2006144336.tif 000051
【図５０】
2006144336.tif 000052
【図５１】
2006144336.tif 000053
【図５２】
2006144336.tif 000054
【図５３】
2006144336.tif 000055
【図５４】
2006144336.tif 000056
【図５５】
2006144336.tif 000057
【図５６】
2006144336.tif 000058
【図５７】
2006144336.tif 000059